(57)【要約】      （修正有）【課題】単位収納筐体を室内空間の隅角部にＬ字型に複数左右連結して収納効率の高いと共に転倒防止性が向上した収納装置を構成し得、更には当該単位収納筐体を室内空間の対向する壁面間に複数左右連結して室内の間仕切りを実施するに適した収納装置を提供する。【解決手段】天板３５及び底板が台形状であり、背板３９が天板３５と底板間に垂直に固着され、背板３９に対して右側板３７が内角４５°で固着されている一方、仕切り板４０は前面側端が天板３５及び底板の前面側端に合致する位置で固着され、仕切り板４０の前面側端に取着された左側板３８先端は直角の閉止状態で背板３９と当接するようにする。【選択図】図１３
0003162545.tif 000002
【実用新案登録請求の範囲】
【請求項１】
左右一対の側板と天板と底板と背板により形成された単位収納筐体であり、当該背板に対して一方の側板が内角４５°及び他方の側板が内角１３５°にて固着されて、上記天板及び底板が上記背板及び側板に応じて一つの内角が４５°である平行四辺形状であることを特徴とする、単位収納筐体。
【請求項２】
左右一対の側板と天板と底板と背板により形成された単位収納筐体であり、当該背板に対して一方の側板が内角４５°及び他方の側板が直角に固着されて、上記天板及び底板が上記背板及び側板に応じて一つの内角が４５°であると共に当該内角の対向角が直角である台形状であることを特徴とする、単位収納筐体。
【請求項３】
左右一対の側板と天板と底板と背板及び側板と垂直方向に配置される仕切り板により形成された単位収納筐体であり、当該背板の左端又は右端に一方の側板が内角４５°で固着されていると共に当該背板の他端に他方の側板が取着され、仕切り板は上記背板に対して内角４５°に固着された側板と垂直方向平行で且つ上記背板に取着された側板が当該背板に直角の閉止状態で当該側板先端と当接する位置に固着されて、上記天板及び底板が背板と固着された側板及び上記閉止状態の側板に応じて一つの内角が４５°であると共に当該内角の対向角が直角である台形状であることを特徴とする、単位収納筐体。
【請求項４】
左右一対の側板と天板と底板と背板及び側板と垂直方向に配置される仕切り板により形成された単位収納筐体であり、上記天板及び底板が一つの内角が４５°である共に当該内角の対向角が直角である台形状であり、上記背板が上記天板と底板間に垂直に固着され、当該背板に対して一方の側板が内角４５°で固着されている一方、上記仕切り板は上記背板に対して内角４５°に固着された側板と垂直方向平行で且つ当該仕切り板の前面側端が上記天板及び底板の前面側端に合致する位置で固着され、当該仕切り板の前面側端に水平方向に遥動自在に取着されたもう一方の側板先端は直角の閉止状態で上記背板と当接するものであることを特徴とする、単位収納筐体。
【請求項５】
左右一対の側板と天板と底板と背板及び側板と垂直方向に配置される仕切り板により形成された単位収納筐体であり、上記天板及び底板が一つの内角が１３５°である共に当該内角の対向角が直角である台形状であり、上記背板が上記天板と底板間に垂直に固着され、当該背板に対して一方の側板が内角１３５°及びもう一つの側板は直角に固着されており、また、上記仕切り板は上記背板に対して内角１３５°に固着された側板と垂直方向平行で且つ当該仕切り板の背面側端が上記天板及び底板の背面側端に合致する位置で固着され、上記背板に対して直角に固着された側板の前面側端と上記仕切り板の前面側端間に亘る引き扉が上記背板に対して直角に固着された側板の前面側端又は上記仕切り板の前面側端に取着されていることを特徴とする、単位収納筐体。
【請求項６】
請求項１乃至請求項５に記載の単位収納筐体が棚板を具備するものであることを特徴とする、単位収納筐体。
【請求項７】
請求項１乃至請求項６に記載の単位収納筐体の前面が開き戸、引き戸、グライドスライドドア、折り戸のいずれかの開閉手段により構成されるものであることを特徴とする、単位収納筐体。
【請求項８】
請求項１乃至請求項７に記載の単位収納筐体を二つ以上組み合わせ左右直線状又は左右Ｌ字状に連結具にて連結したことを特徴とする、収納装置。
【考案の詳細な説明】
【技術分野】
【０００１】
本考案は、単体にて物品の収納を行なう単位収納筐体及び、当該単位収納筐体を室内空間の隅角部にＬ字型に複数左右連結して収納効率の高いと共に転倒防止性が向上した収納装置を構成し得、更には当該単位収納筐体を室内空間の対向する壁面間に複数左右連結して室内の間仕切りを実施するに適した収納装置に関するものである。
【背景技術】
【０００２】
従来、台所ユニットとして、平面形状が略Ｌ字型に屈曲すると共に入隅面を前面の開口部としてコーナーユニット本体を形成し、コーナーユニット本体の開口部を閉塞する断面Ｌ字型に形成された前面板を前面に設けた収納用ワゴンをコーナーユニット本体に出し入れ自在に収納し、コーナーユニット本体の両側部内に内方へ開口する側部収納部を設けて成るフロアー用コーナーユニット（実開平３−１３８３９号公報）が知られている。
【０００３】
更に、本棚として、平面が矩形状の基準本棚と、平面が五角形で左右の側板が互いに直交する方向とされた隅棚とを具備し、前記隅棚の前記側板の少なくとも一方に、同幅で同高の前記基準本棚が固定具を介して結合固定されている本棚（特開２００１−２０４５５８号公報）が知られている。
【０００４】
続いて、コーナー用の吊り戸棚として、入り隅状コーナーに設置され、平面視略Ｌ字形の底部が開口した外箱と、該外箱へ昇降自在に収納されるとともに、上記入り隅状コーナーに沿う水平断面略直角の背板に平面視略Ｌ字形の棚板を固定してなる昇降棚とから構成される吊り戸棚であって、該昇降棚は、上記棚板が、その後方側面の複数の固定部位を金属製固定手段以外の固定手段を含む複数の固定手段によって上記背板に固定されるとともに、その最端固定部位を金属製固定手段により上記背板に固定されているコーナー用吊り戸棚（特開２００２−２２３８７１号公報）も知られている。
【０００５】
そしてまた、コーナー用の収納装置として、部屋のコーナー部に設置するコーナー用の収納装置であって、収納庫をコーナー部の一方の壁面に近接させるとともに他方の壁面に対して空所を構成して配置し、収納庫の壁面に接しない角部に縦軸を支点として直線走行する扉を設けて成るコーナー用の収納装置（特開平１１−２３５２４１号公報）も知られている。
【０００６】
先ず、上記実開平３−１３８３９号公報に係るフロアー用コーナーユニットは、従来入隅コーナー部に設置される平面形状がＬ字型に屈曲したコーナーユニットが具備する課題を解決すべく成されたものであり、従来の技術によるコーナーユニットの前面開口部の幅はその形状に伴い狭くせざるを得ないため、物の出し入れがし難く、特に奥の物の出し入れや重量物の出し入れが困難であるなどの欠点があった。
【０００７】
次に、上記特開２００１−２０４５５８号公報に係る本棚は、陳列する書籍の大きさにより、必要とする本棚の奥行きが相違すると、分類別の纏め置きができないので、大型書籍の奥行きに合わせた本棚を採用するか、奥行きの相違する本棚を並列するようなレイアウトにしなければならない等の従来の雑誌、文庫本、漫画、本などの陳列に供される本棚の課題を解決すべに成されたものであった。
【０００８】
続いて、上記特開２００２−２２３８７１号公報に係るコーナー用の吊り戸棚は、従来のコーナー用の吊り戸棚として知られる平面視略三角形であるものの、収納するスペースが小さく、また、前面が開放されていても、奥のほうに収納された物を取り出しにくいなどの課題を解決すべに成されたものであった。
【０００９】
更にまた、上記特開平１１−２３５２４１号公報に係るコーナー用の収納装置は、直角三角柱状の箱体からなり、直角部の主収納部に隣接して三角柱状副収納部を設け、前記副収納部を主収納部から延長した背面板の延長端部位にヒンジを介して水平方向に揺動自在に取り付けられた従来のコーナー用の収納家具の有効活用性が低いという課題を解決すべく成されたものであった。
【先行技術文献】
【特許文献】
【００１０】
【特許文献１】実開平３−１３８３９号公報
【特許文献２】特開２００１−２０４５５８号公報
【特許文献３】特開２００２−２２３８７１号公報
【特許文献４】特開平１１−２３５２４１号公報
【考案の概要】
【考案が解決しようとする課題】
【００１１】
しかしながら、上記技術背景に記載の実開平３−１３８３９号公報に係るフロアー用コーナーユニットは、従来のコーナーユニットの課題を解決するために、コーナーユニット本体の開口部を閉塞する断面Ｌ字型に形成された前面板を前面に設けた収納ワゴンをコーナーユニット本体に出し入れ自在に収容することにより解決を図ろうとしたものであったが、上記収納ワゴンの側面部の両側及び先端部に三角柱状のスペースが形成され、上記収納ワゴン側面部の両側には側部収納部が構成されるようになるが、物品の収納には非常に使い勝手が悪いと共に上記収納ワゴンの先端部の三角状のスペースはデッドスペースとして残存してしまうという欠点があった。
【００１２】
また、上記技術背景に記載の特開２００１−２０４５５８号公報に係る本棚は、雑誌、文庫本、漫画、本などの陳列に供される本棚を提供するために、隅角部にも適する本棚の構成部として平面が五角形で左右の側板が互いに直交する方向とされた隅棚を創案して、基準本棚と上記隅棚を連結することになり、通常の薄型で高さの比較的高い本棚であっても安定性が向上し、転倒の危険性を回避できるというものであったが、上記隅棚が平面五角形で左右の側板が互いに直交する方向とされていることから、当該隅棚の前面開口部の幅はその形状に伴い狭くせざるを得ないため、本などの陳列部分としては適していないという欠点があった。
【００１３】
更に、上記技術背景に記載の特開２００２−２２３８７１号公報に係るコーナー用の吊り戸棚は、従来のコーナー用の吊り戸棚として知られる平面視略三角形であるものの、収納するスペースが小さく、また、前面が開放されていても、奥のほうに収納された物を取り出しにくいなどの課題を解決し得るものであったが、平面視略Ｌ字形の底部が開口した外箱と、平面視略Ｌ字形の複数の棚板を水平断面略直角の背板に固定してなる昇降棚から構成されていることから、収納作業にいちいち昇降棚の引き下げ・引き上げを要して面倒であるという欠点ががあった。更には、上記昇降に際して電動機を用いた場合には機構が複雑になると共に高価なものとなってしまうという欠点もあった。
【００１４】
続いてまた、上記技術背景に記載の特開平１１−２３５２４１号公報に係るコーナー用の収納装置は、収納庫をコーナー部の一方の壁面に近接させるとともに他方の壁面に対して空所を構成して配置し、収納庫の壁面に接しない角部に縦軸を支点として直線走行する扉を設けて成るものであったが、上記コーナー用の収納装置を実施するためには、ブラケットが取り付けられた支柱、ピニオンギア、ガイドローラが取り付けられる軸、内部にラックギアが取り付けられている扉等から構成する必要があり、縦軸と扉の機構が複雑になるという欠点もあった。
【００１５】
そこで、本願実用新案登録出願人は、上記従来技術の欠点を解消するために成されたものであり、単体にて物品の収納を行なう単位収納筐体及び、当該単位収納筐体を室内空間の隅角部にＬ字型に複数左右連結して収納効率の高いと共に転倒防止性が向上した収納装置を構成し得、更には当該単位収納筐体を室内空間の対向する壁面間に複数左右連結して室内の間仕切りを実施するに適した収納装置を提供することにある。
【課題を解決するための手段】
【００１６】
上記目的を達成するため本考案に係る単位収納筐体は、左右一対の側板と天板と底板と背板により形成された単位収納筐体であり、当該背板に対して一方の側板が内角４５°及び他方の側板が内角１３５°にて固着されて、上記天板及び底板が上記背板及び側板に応じて一つの内角が４５°である平行四辺形状であることを第一の要旨とするものである。
【００１７】
次に、上記目的を達成するため本考案に係る単位収納筐体は、左右一対の側板と天板と底板と背板により形成された単位収納筐体であり、当該背板に対して一方の側板が内角４５°及び他方の側板が直角に固着されて、上記天板及び底板が上記背板及び側板に応じて一つの内角が４５°であると共に当該内角の対向角が直角である台形状であることを第二の要旨とするものである。
【００１８】
また、上記目的を達成するため本考案に係る単位収納筐体は、左右一対の側板と天板と底板と背板及び側板と垂直方向に配置される仕切り板により形成された単位収納筐体であり、当該背板の左端又は右端に一方の側板が内角４５°で固着されていると共に当該背板の他端に他方の側板が取着され、仕切り板は上記背板に対して内角４５°に固着された側板と垂直方向平行で且つ上記背板に取着された側板が当該背板に直角の閉止状態で当該側板先端と当接する位置に固着されて、上記天板及び底板が背板と水平方向に遥動自在に固着された側板及び上記閉止状態の側板に応じて一つの内角が４５°であると共に当該内角の対向角が直角である台形状であることを第三の要旨とするものである。
【００１９】
更に、上記目的を達成するため本考案に係る単位収納筐体は、左右一対の側板と天板と底板と背板及び側板と垂直方向に配置される仕切り板により形成された単位収納筐体であり、上記天板及び底板が一つの内角が４５°である共に当該内角の対向角が直角である台形状であり、上記背板が上記天板と底板間に垂直に固着され、当該背板に対して一方の側板が内角４５°で固着されている一方、上記仕切り板は上記背板に対して内角４５°に固着された側板と垂直方向平行で且つ当該仕切り板の前面側端が上記天板及び底板の前面側端に合致する位置で固着され、当該仕切り板の前面側端に取着されたもう一方の側板先端は直角の閉止状態で上記背板と当接するものであることを第四の要旨とするものである。
【００２０】
続いて、上記目的を達成するため本考案に係る単位収納筐体は、左右一対の側板と天板と底板と背板及び側板と垂直方向に配置される仕切り板により形成された単位収納筐体であり、上記天板及び底板が一つの内角が１３５°である共に当該内角の対向角が直角である台形状であり、上記背板が上記天板と底板間に垂直に固着され、当該背板に対して一方の側板が内角１３５°及びもう一つの側板は直角に固着されており、また、上記仕切り板は上記背板に対して内角１３５°に固着された側板と垂直方向平行で且つ当該仕切り板の背面側端が上記天板及び底板の背面側端に合致する位置で固着され、上記背板に対して直角に固着された側板の前面側端と上記仕切り板の前面側端間に亘る引き扉が上記背板に対して直角に固着された側板の前面側端又は上記仕切り板の前面側端に取着されていることを第五の要旨とするものである。
【００２１】
それからまた、上記目的を達成するため本考案に係る単位収納筐体は、上記第一乃至第五の要旨に基づく単位収納筐体が、棚板を具備するものであることを第六の要旨とするものである。
【００２２】
更にまた、上記目的を達成するため本考案に係る単位収納筐体は、上記第一乃至第六の要旨に基づく単位収納筐体の前面が開き戸、引き戸、グライドスライドドア、折り戸のいずれかの開閉手段により構成されるものであることを第七の要旨とするものである。
【００２３】
そしてまた、上記目的を達成するため本考案に係る収納装置は、上記第一乃至第七の要旨に記載の単位収納筐体を二つ以上組み合わせ左右直線状又は左右Ｌ字状に連結具にて連結したものであることを第八の要旨とするものである。
【考案の効果】
【００２４】
本考案に係る単位収納筐体及び単位収納体より成る収納装置は、上記構成を採ることにより、以下の効果を奏する。
先ず、本考案に係る単位収納筐体は、背板に対して一方の側板が内角４５°及び他方の側板が内角１３５°にて固着されているので、一般の背板に対して直角に収納する収納装置の所要奥行き幅に比べ、奥行き幅を約１／√２に短縮できるという効果がある。この効果は、室内において収納装置の占有位置を壁側に後退させることになり、室内の有効スペースを増加させることができるという効果がある。また、天板及び底板が台形状で一方の側板が内角４５°及び他方の側板が直角に固着されている単位収納筐体についても同様の効果がある。
【００２５】
次に、本考案に係る単位収納筐体は、背板の左端又は右端に一方の側板が内角４５°で固着されていると共に当該背板の他端に他方の側板が取着され、仕切り板は上記背板に対して内角４５°に固着された側板と垂直方向平行で且つ上記背板に水平方向に遥動自在に取着された側板が当該背板に直角の閉止状態で当該側板先端と当接する位置に固着されて、上記天板及び底板が背板と固着された側板及び上記閉止状態の側板に応じて一つの内角が４５°であると共に当該内角の対向角が直角である台形状であることから、一般の背板に対して直角に収納する収納装置の所要奥行き幅に比べ、奥行き幅を約１／√２に短縮できると共に、背板側に取着された側板を回動することによって三角柱状のスペースを収納に利用することができるという効果がある。この効果は、室内において収納装置の占有位置を壁側に後退させることになり、室内の有効スペースを増加させることができるという効果がある。
【００２６】
続いて、本考案に係る単位収納筐体は、天板及び底板が一つの内角が４５°である共に当該内角の対向角が直角である台形状であり、上記背板が上記天板と底板間に垂直に固着され、当該背板に対して一方の側板が内角４５°で固着されている一方、上記仕切り板は上記背板に対して内角４５°に固着された側板と垂直方向平行で且つ当該仕切り板の前面側端が上記天板及び底板の前面側端に合致する位置で固着され、当該仕切り板の前面側端でに取着されたもう一方の側板先端は直角の閉止状態で上記背板と当接するものであることから、一般の背板に対して直角に収納する収納装置の所要奥行き幅に比べ、奥行き幅を約１／√２に短縮できると共に、仕切り板側に取着された側板を回動することによって三角柱状のスペースを収納に利用することができるという効果がある。この効果は、室内において収納装置の占有位置を壁側に後退させることになり、室内の有効スペースを増加させることができるという効果がある。
【００２７】
そしてまた、本考案に係る単位収納筐体は、左右一対の側板と天板と底板と背板及び側板と垂直方向に配置される仕切り板により形成された単位収納筐体であり、上記天板及び底板が一つの内角が１３５°である共に当該内角の対向角が直角である台形状であり、上記背板が上記天板と底板間に垂直に固着され、当該背板に対して一方の側板が内角１３５°及びもう一つの側板は直角に固着されており、また、上記仕切り板は上記背板に対して内角１３５°に固着された側板と垂直方向平行で且つ当該仕切り板の背面側端が上記天板及び底板の背面側端に合致する位置で固着され、上記背板に対して直角に固着された側板の前面側端と上記仕切り板の前面側端間に亘る引き扉が上記背板に対して直角に固着された側板の前面側端又は上記仕切り板の前面側端に取着されているものであるから、上記単位収納筐体と同様の効果を奏する他に、直角に固着されている側板側を壁に接して配置した場合であっても、付設されている引き扉が開閉できるので直角に固定されている側板と仕切り板間に形成された三角柱状のスペースを収納に利用することができるという効果がある。
【００２８】
更に、本考案に係る単位収納筐体では、適宜棚板を具備することや当該単位収納筐体の前面を開き戸、引き戸、グライドスライドドア、折り戸のいずれかの開閉手段により構成することができるので、収納装置としての利用可能性が高いという効果がある。
【００２９】
更にまた、本考案に係る収納装置は、上述の各単位収納筐体を二つ以上組み合わせ左右直線状又は左右Ｌ字状に連結具にて連結したものであるから、適宜各単位収納筐体を左右直線状に連結具にて連結し室内空間の間仕切り兼収納装置とすることができるという効果がある。また、室内空間の隅角部においては上記単位収納筐体の背板と内角が４５°で側板が固着された構成側を相互に連結し直角なＬ字型に配置するようにすると、前述の「考案が解決しようとする課題」の欄に記載のような隅角部におけるデッドスペースを生じるという欠点が解消されると共に、一般の背板に対して直角に収納する収納装置の所要奥行き幅に比べ、奥行き幅を約１／√２に短縮でき室内の有効スペースを増加させることができるという効果もある。
【考案を実施するための最良の形態】
【００３０】
以下に、本考案に係る単位収納筐体及び単位収納筐体から成る収納装置に関する最良の実施形態例について、図面に基づき詳細な説明を行なうものとする。
【００３１】
先ず、図１は本考案に係る単位収納筐体Ａの平面図、図２は単位収納筐体Ａの正面図、図３は単位収納筐体Ａの右側面図である。図示のように、本考案に係る単位収納筐体Ａ１は、右側板２・左側板３と天板４と底板５と背板６により形成された単位収納筐体Ａ１であり、背板６に対して右側板２が内角４５°及び左側板３が内角１３５°にて固着されて、天板４及び底板５が背板６及び右側板２・左側板３に応じて平行四辺形状である。また、図１中の示される一点鎖線は、単位収納筐体Ａ１に収納物７を収納した際の態様を示したものであり、図示のように、奥行きのある収納物７であっても単位収納筐体Ａ１においてその側板に沿って収納する場合は、一般の背板に対して垂直に収納する場合と比べ約１／√２と短くすることができる。このことによって、室内における収納装置の占有位置を壁側に後退させることができる。
【００３２】
続いて、図４は本考案に係る単位収納筐体Ｂの平面図、図５は単位収納筐体Ｂの正面図、図６は単位収納筐体Ｂの右側面図である。図示のように、本考案に係る単位収納筐体Ｂ８は、右側板９・左側板１０と天板１１と底板１２と背板１３と収納内部を水平方向三等分に区画する棚板１４により形成された単位収納筐体Ｂ８であり、背板１３に対して右側板９が内角１３５°及び左側板１０が内角４５°にて固着されて、天板１１及び底板１２が背板１３及び右側板９・左側板１０に応じて平行四辺形状である。また、図４中の示される一点鎖線は、単位収納筐体Ｂ８に収納物１５を収納した際の態様を示したものである。また、単位収納筐体Ｂ８の特徴は上記単位収納筐体Ａ１と同様である他、棚板１４によって収納内部が水平方向三等分に区画されていることにより、上下三段に収納することができる。
【００３３】
続いて、図７は本考案に係る単位収納筐体Ｃの平面図、図８は単位収納筐体Ｃの正面図、図９は単位収納筐体Ｃの右側面図である。図示のように、本考案に係る単位収納筐体Ｃ１６は、右側板１８・左側板１９と天板２０と底板２１と背板１７と収納内部を水平方向二等分に区画する棚板２２により形成された単位収納筐体Ｃ１６であり、背板１７に対して右側板１８が内角４５°及び左側板１９が直角に固着されて、天板２０及び底板２１が背板１７及び右側板１８・左側板１９に応じて台形状である。ここで、単位収納筐体Ｃ１６も基本的には上記単位収納筐体と同様の特徴を有している。
【００３４】
更に、図１０は本考案に係る単位収納筐体Ｄの平面図、図１１は単位収納筐体Ｄの正面図、図１２は単位収納筐体Ｄの右側面図である。図示のように、本考案に係る単位収納筐体Ｄ２３は、右側板２５・左側板２６と天板２８と底板２９と背板２４及び右側板２５・左側板２６と垂直方向に配置される仕切り板２７と収納内部を水平方向二等分に区画する棚板３０により形成された単位収納筐体Ｄ２３であり、背板２４の右端に右側板２５が内角４５°で固着されていると共に背板２４の左端に左側板２６が取着され、仕切り板２７は背板２４に対して内角４５°に固着された右側板２５と垂直方向平行で且つ背板２４に水平方向に遥動自在に取着された左側板２６が背板２４に直角の閉止状態で左側板２６先端と当接する位置に固着されて、天板２８及び底板２９が背板２４と固着された右側板２５及び上記閉止状態の左側板２６に応じて台形状である。そして、図１０中の示される一点鎖線は、単位収納筐体Ｄ２３に収納物３１、収納物３２を収納した際の態様を示したものである。図示のように、左側板２６は背板２４の左端に水平方向に遥動自在に取着されているものであるから、背板２４と仕切り板２７間に形成された三角柱状のスペースを収納に利用することができる。なお、図１０中の符号３３は背板２４と左側板２６間に付設された蝶番金具３３である。更に、単位収納筐体Ｄ２３においても奥行きのある収納物３１であっても右側板２５・仕切り板２７に沿って収納する場合は、一般の背板に対して垂直に収納する場合と比べ約１／√２と短くすることができるという特徴がある。
【００３５】
続いてまた、図１３は本考案に係る単位収納筐体Ｅの平面図、図１４は単位収納筐体Ｅの正面図、図１５は単位収納筐体Ｅの右側面図である。図示のように、本考案に係る単位収納筐体Ｅ３４は、右側板３７・左側面板３８と天板３５と底板３６と背板３９及び右側板３７・左側面板３８と垂直方向に配置される仕切り板４０により形成された単位収納筐体Ｅ３４であり、天板３５及び底板３６が台形状であり、背板３９が天板３５と底板３６間に垂直に固着され、背板３９に対して右側板３７が内角４５°で固着されている一方、仕切り板４０は背板３９に対して内角４５°に固着された右側板３７と垂直方向平行で且つ仕切り板４０の前面側端が天板３５及び底板３６の前面側端に合致する位置で固着され、仕切り板４０の前面側端に取着された左側板３８先端は直角の閉止状態で背板３９と当接するものである。そして、図１３中の示される一点鎖線は、単位収納筐体Ｅ３４に収納物４１、収納物４２を収納した際の態様を示したものである。図示のように、左側板３８は仕切り板４０の前面端に水平方向に遥動自在に取着されているものであるから、背板３９と仕切り板４０間に形成された三角柱状のスペースを収納に利用することができる。なお、図１３及び図１４中の符号４３は仕切り板４０と左側板３８間に付設された蝶番金具４３である。更に、単位収納筐体Ｅ３４の特徴は前述の単位収納筐体Ｄ２３と同様である。
【００３６】
更にまた、図１６は本考案に係る単位収納筐体Ｆの平面図、図１７は単位収納筐体Ｆの正面図、図１８は単位収納筐体Ｆの右側面図である。本考案に係る単位収納筐体Ｆ４４は、右側板４７・左側板４８と天板４５と底板４６と背板４９及び右側板４７・左側板４８と垂直方向に配置される仕切り板５０により形成された単位収納筐体Ｆ４４であり、背板４９の左端に左側板４８が内角４５°で固着されていると共に背板４９の右端に右側板４７が取着され、仕切り板５０は背板４９に対して内角４５°に固着された左側板４８と垂直方向平行で且つ背板４９に水平方向に遥動自在に取着された右側板４７が背板４９に直角の閉止状態で右側板４７先端と当接する位置に固着されて、天板４５及び底板４６が背板４９と固着された左側板４８及び上記閉止状態の右側板４７に応じて台形状である。そして、図１６中の示される一点鎖線は、単位収納筐体Ｆ４４に収納物５１、収納物５２を収納した際の態様を示したものである。図示のように、右側板４７は背板４９の右端に水平方向に遥動自在に取着されているものであるから、背板４９と仕切り板５０間に形成された三角柱状のスペースを収納に利用することができる。なお、図１６及び図１８中の符号５３は背板４９と右側板４７間に付設された蝶番金具５３である。更に、単位収納筐体Ｆ４４の特徴も前述の単位収納筐体Ｅ３４と同様である。
【００３７】
続いて、図１９は本考案に係る単位収納筐体Ｇの平面図、図２０は単位収納筐体Ｇの正面図、図２１は単位収納筐体Ｇの右側面図である。本考案に係る単位収納筐体Ｇ５４は、、右側板５７・左側板５８と天板５５と底板５６と背板５９及び右側板５７・左側板５８と垂直方向に配置される仕切り板６０及び当該仕切り板６０と収納内部を水平方向二等分に区画する棚板６３により形成された単位収納筐体Ｇ５４であり、天板５５及び底板５６の背面側左端の内角が１３５°である共に当該内角の対向角が直角である台形状であり、背板５９が天板５５と底板５６間に垂直に固着され、背板５９に対して左側板５８が内角１３５°及び右側板５７が直角に固着されており、また、仕切り板６０は背板５９に対して内角１３５°に固着された左側板５８と垂直方向平行で且つ仕切り板６０の背面側端が天板５５及び底板５６の背面側端に合致する位置で固着され、背板５９に対して直角に固着された右側板５７の前面側端と仕切り板６０の前面側端間に亘る引き扉６１が背板５９に対して直角に固着された右側板５７の前面側端に取着されているものである。そして、図１９中の示される一点鎖線は、単位収納筐体Ｇ５４に収納物６４、収納物６５を収納した際の態様を示したものである。図示のように、単位収納筐体Ｇ５４では、右側板５７の前面側端に引き扉６１が取着されているので、直角に固着されている右側板５７側を壁に接して配置した場合であっても、付設されている引き扉６１が開閉できるので右側板５７と仕切り板６０間に形成された三角柱状のスペースを収納に利用することができる。なお、図１９中の符号６２は引き扉６１に取り付けられた取っ手６２であり、また図１９、図２０、図２１中の符号６６は右側板５７と引き扉６１間に付設された蝶番金具６６である。
【００３８】
次にまた、図２２は本考案に係る単位収納筐体を左右Ｌ字状に連結した際の収納装置の斜視図である。図示の収納装置６７は、上述の単位収納筐体Ｄ２３と単位収納筐体Ｆ４４（いずれも、棚板は具備しないもの）を室内などの隅角部に配置した場合の態様を示したものである。ここで、単位収納筐体Ｄ２３と単位収納筐体Ｆ４４を連結するには、公知の連結金具により連結することができるが、単位収納筐体Ｄ２３の右側板と単位収納筐体Ｆ４４の左側面板間を皿付きボルト及び皿付き袋ナットにより複数箇所締結するものとする。このように構成されたＬ字状の収納装置６７は、一般的なＩ字状の収納装置に比べ転倒し難く耐震性を飛躍的に向上することができる。また、図示の収納装置６７は、スチール製とすることができ、天板の裏面側前面端部及び底板の表面側前面端部に二本の対向するレールを付敷し、当該レールを摺動する引き扉を付設することにより、室内などの隅角部に好適なロッカーとして使用することができる。そしてまた、図２３は本考案に係る単位収納筐体を左右Ｌ字状に連結した際のもう一つの収納装置の斜視図である。図示の収納装置６８も、上述の単位収納筐体Ｄ２３と単位収納筐体Ｆ４４（いずれも、収納内部を水平方向四等分に区画する棚板を具備したもの）を室内などの隅角部に配置した場合の態様を示したものである。ここで、単位収納筐体Ｄ２３と単位収納筐体Ｆ４４を連結するには、上記のような連結金具により複数箇所締結すれば良い。図示の収納装置６８は、木製とすることができ、室内などの隅角部に好適な本棚として使用することができる。なお、図２３中の符号６９は幅木６９である。
【００３９】
また続いて、図２４は本考案に係る単位収納筐体を左右Ｌ字状に連結した際の収納装置の別の収納装置の平面配置図である。図示の収納装置７０は、逆Ｌ字型の壁７１によって形成される隅角部に配置されたものであり、単位収納筐体Ｅ３４と単位収納筐体Ａ１及び単位収納筐体Ｂ８と単位収納筐体Ｆ４４を各々連結金具により連結して構成したものである。ここで、図中の一点鎖線は各単位収納筐体に収納される収納物の態様を示している。更に、収納装置７０の特徴は、収納物の展示装置として好適であり、室内の中央部から上記収納装置７０に視線をる向けると、各単位収納筐体に収納されている収納物の背表紙が概ね正面から視認できる点にある。
【００４０】
更に続いて、図２５は本考案に係る単位収納筐体をＩ字状に連結して室内を区画した際の収納装置の平面配置図である。図示の収納装置７２は、壁７３間を室内Ａと室内Ｂに区画するものであり、左方から単位収納筐体Ｇ５４、単位収納筐体Ａ１、単位収納筐体Ａ１、単位収納筐体Ｇ５４をＩ字型に左右に各々連結金具により連結して構成したものである。また、図中の一点鎖線は各単位収納筐体に収納される収納物の態様を示したものであり、収納装置７２の左側二つの単位収納筐体Ｇ５４及び単位収納筐体Ａ１は室内Ｂ側が前面側となり、右側二つの単位収納筐体Ｇ５４及び単位収納筐体Ａ１は室内Ａ側が前面側となるものである。この際、言及するまでもなく、室内を単位収納筐体によって区画する際の収納装置の構成は、上記収納装置７２に限定されるものではなく、前述して示した各単位収納筐体を適宜選択して構成することができるものである。更には、図２６は背板と右側板又は左側板が内角４５°で固着された平行四辺形の天板及び底板から成る単位収納筐体と好適に組み合わせて用いられる三角柱状収納筐体の斜視図である。図示のように、三角柱状収納筐体７４は、上面７７が直角二等辺三角形状であり、側面７５と扉面７６が直角に形成され、その他の側面とは各内角４５°に形成されている。また、三角柱状収納筐体７４は図示しないながらも、上記説明の単位収納筐体Ａ・単位収納筐体Ｂなどと左右に連結金具にて連結して、Ｌ字状に連結した際の収納装置の端部やＩ字状に連結して室内を区画する際の収納装置の端部をフラットに構成することに適している。そしてまた、詳述するまでもなく上記三角柱状収納筐体は一つの態様を示したものであり、扉面はいずれの側面に形成しても良い。
【００４１】
また、図２７は室内の隅各部に従来型の収納装置をＬ字型に配置した際の模式図であり、図２８は室内の隅各部に本考案の単位収納筐体により構成した収納装置をＬ字型に配置した際の模式図である。図示のように、図２７での収納装置８２は、幅４５０ｍｍ×奥行き５２０ｍｍから成る単位収納筐体ロ８０を水平方向に二つ、垂直方向に三つ連結して構成したものであり、隅各部に５２０ｍｍ×５２０ｍｍのデットスペースが生じている。ここで、単位収納筐体ロ８０に収納されている収納物８１のサイズは幅１１０ｍｍ×奥行き５２０ｍｍであり、単位収納筐体ロ８０には四つの収納物８１が収納可能である。この際、図２７に示す従来型の収納装置８２の占有面積は、デッドスペースを含め１．４４ｍ２であると共に奥行き幅は５２０ｍｍである。一方、図２８での収納装置８５は、幅６３６ｍｍ・奥行き４４０ｍｍの単位収納筐体により構成された構成物であり、水平方向に左方から単位収納筐体Ｅ３４、単位収納筐体Ａ１により、垂直方向に上方から単位収納筐体Ｂ８、単位収納筐体Ｂ８、単位収納筐体Ｆ４４を各々連結して構成したものである。ここで、単位収納筐体Ａ１及び単位収納筐体Ｂ８は幅６３６ｍｍ・奥行き４４０ｍｍの収納スペースのイ８３を有し、単位収納筐体Ｅ３４及び単位収納筐体Ｆ４４は幅６３６ｍｍ・奥行き４４０ｍｍの平行四辺形の収納スペースのイ８３及び奥行き４４０ｍｍ・底辺４４０ｍｍの直角三角形の収納スペースＡを有しているものである。ここで、各単位収納筐体の収納スペースのイ８３に収納されている収納物８４のサイズは、上記収納物８１同様で幅１１０ｍｍ×奥行き５２０ｍｍであり、収納スペースのイ８３には四つの収納物８４が収納可能である。この際、図２８に示す本考案の単位収納筐体により構成した収納装置８５の占有面積は、１．５９ｍ２であるが、全くデットスペースを生じることがなく、有効に占有面積を収納スペースとして活用することができると共に室内における収納装置の占有位置を壁側に８０ｍｍ後退させることができる。
【産業上の利用可能性】
【００４２】
以上のように構成される本考案に係る単位収納筐体及び単位収納筐体から成る収納装置は、上記実施の形態で示した収納装置としての利用に限定されることなく、背景技術の項に記載のコーナー設置に適した台所用ユニット、コーナー用の吊戸棚等にも有効に採用することができることは明らかであり、その産業上の利用可能性は極めて高いと考えられる。
【図面の簡単な説明】
【００４３】
【図１】本考案に係る単位収納筐体Ａの平面図。
【図２】単位収納筐体Ａの正面図。
【図３】単位収納筐体Ａの右側面図。
【図４】本考案に係る単位収納筐体Ｂの平面図。
【図５】単位収納筐体Ｂの正面図。
【図６】単位収納筐体Ｂの右側面図。
【図７】考案に係る単位収納筐体Ｃの平面図。
【図８】単位収納筐体Ｃの正面図。
【図９】単位収納筐体Ｃの右側面図。
【図１０】本考案に係る単位収納筐体Ｄの平面図。
【図１１】単位収納筐体Ｄの正面図。
【図１２】単位収納筐体Ｄの右側面図。
【図１３】本考案に係る単位収納筐体Ｅの平面図。
【図１４】単位収納筐体Ｅの正面図。
【図１５】単位収納筐体Ｅの右側面図。
【図１６】本考案に係る単位収納筐体Ｆの平面図。
【図１７】単位収納筐体Ｆの正面図。
【図１８】単位収納筐体Ｆの右側面図。
【図１９】本考案に係る単位収納筐体Ｇの平面図。
【図２０】単位収納筐体Ｇの正面図。
【図２１】単位収納筐体Ｇの右側面図。
【図２２】本考案に係る単位収納筐体を左右Ｌ字状に連結した際の収納装置の斜視図。
【図２３】本考案に係る単位収納筐体を左右Ｌ字状に連結した際のもう一つの収納装置の斜視図。
【図２４】本考案に係る単位収納筐体を左右Ｌ字状に連結した際の収納装置の別の収納装置の平面配置図。
【図２５】本考案に係る単位収納筐体をＩ字状に連結して室内を区画した際の収納装置の平面配置図。
【図２６】背板と右側板又は左側板が内角４５°で固着された平行四辺形の天板及び底板から成る単位収納筐体と好適に組み合わせて用いられる三角柱状収納筐体の斜視図。
【図２７】室内の隅各部に従来型の収納装置をＬ字型に配置した際の模式図。
【図２８】室内の隅各部に本考案の単位収納筐体により構成した収納装置をＬ字型に配置した際の模式図。
【符号の説明】
【００４４】
１    単位収納筐体Ａ
８    単位収納筐体Ｂ
１６  単位収納筐体Ｃ
２３  単位収納筐体Ｄ
３４  単位収納筐体Ｅ
４４  単位収納筐体Ｆ
５４  単位収納筐体Ｇ
６７、６８、７０、７２、８２、８５  収納装置
７４  三角柱状収納筐体
【図１】
0003162545.tif 000003
【図２】
0003162545.tif 000004
【図３】
0003162545.tif 000005
【図４】
0003162545.tif 000006
【図５】
0003162545.tif 000007
【図６】
0003162545.tif 000008
【図７】
0003162545.tif 000009
【図８】
0003162545.tif 000010
【図９】
0003162545.tif 000011
【図１０】
0003162545.tif 000012
【図１１】
0003162545.tif 000013
【図１２】
0003162545.tif 000014
【図１３】
0003162545.tif 000015
【図１４】
0003162545.tif 000016
【図１５】
0003162545.tif 000017
【図１６】
0003162545.tif 000018
【図１７】
0003162545.tif 000019
【図１８】
0003162545.tif 000020
【図１９】
0003162545.tif 000021
【図２０】
0003162545.tif 000022
【図２１】
0003162545.tif 000023
【図２２】
0003162545.tif 000024
【図２３】
0003162545.tif 000025
【図２４】
0003162545.tif 000026
【図２５】
0003162545.tif 000027
【図２６】
0003162545.tif 000028
【図２７】
0003162545.tif 000029
【図２８】
0003162545.tif 000030
【手続補正書】
【提出日】平成22年7月7日(2010.7.7)
【手続補正１】
【補正対象書類名】実用新案登録請求の範囲
【補正対象項目名】請求項６
【補正方法】変更
【補正の内容】
【請求項６】
請求項１乃至請求項５のいずれか１項に記載の単位収納筐体が棚板を具備するものであることを特徴とする、単位収納筐体。
【手続補正２】
【補正対象書類名】実用新案登録請求の範囲
【補正対象項目名】請求項７
【補正方法】変更
【補正の内容】
【請求項７】
請求項１乃至請求項６のいずれか１項に記載の単位収納筐体の前面が開き戸、引き戸、グライドスライドドア、折り戸のいずれかの開閉手段により構成されるものであることを特徴とする、単位収納筐体。
【手続補正３】
【補正対象書類名】実用新案登録請求の範囲
【補正対象項目名】請求項８
【補正方法】変更
【補正の内容】
【請求項８】
請求項１乃至請求項７のいずれか１項に記載の単位収納筐体を二つ以上組み合わせ左右直線状又は左右Ｌ字状に連結具にて連結したことを特徴とする、収納装置。
【手続補正４】
【補正対象書類名】明細書
【補正対象項目名】００２１
【補正方法】変更
【補正の内容】
【００２１】
それからまた、上記目的を達成するため本考案に係る単位収納筐体は、上記第一乃至第五のいずれかに記載した要旨に基づく単位収納筐体が、棚板を具備するものであることを第六の要旨とするものである。
【手続補正５】
【補正対象書類名】明細書
【補正対象項目名】００２２
【補正方法】変更
【補正の内容】
【００２２】
更にまた、上記目的を達成するため本考案に係る単位収納筐体は、上記第一乃至第六のいずれかに記載した要旨に基づく単位収納筐体の前面が開き戸、引き戸、グライドスライドドア、折り戸のいずれかの開閉手段により構成されるものであることを第七の要旨とするものである。
【手続補正６】
【補正対象書類名】明細書
【補正対象項目名】００２３
【補正方法】変更
【補正の内容】
【００２３】
そしてまた、上記目的を達成するため本考案に係る収納装置は、上記第一乃至第七のいずれかに記載した要旨に基づく単位収納筐体を二つ以上組み合わせ左右直線状又は左右Ｌ字状に連結具にて連結したものであることを第八の要旨とするものである。